(57)【要約】【課題】本発明は多機能ケーブル巻き取り器を開示した。【解決手段】ケース主体を含み、前記ケース主体の中には上方へ開口したスライドチャンバが設置され、前記スライドチャンバの中には環状スライダがスライドできるように設置され、前記環状スライダの外端面には固定ブロックが左右対称的に固定的に設置され、本発明の多機能ケーブル巻き取り器は操作が簡単明瞭で、反応が速く、時間と精力を節約し、同時に、本発明の装置は機能が豊かであり、固定で頼もしく、実用性が高い。【選択図】図１
2020183323.tif 000002
【特許請求の範囲】
【請求項１】
正面視で、ケース主体を含み、前記ケース主体の中には上方へ開口したスライドチャンバが設置され、前記スライドチャンバの中には環状スライダがスライドできるように設置され、前記環状スライダの外端面には固定ブロックが左右対称的に固定的に設置され、前記固定ブロックの外側端面にはハンドルが固定的に設置され、前記固定ブロックの底面にはロック歯が固定的に設置され、前記ケース主体の頂面には前記ロック歯と噛み合っている環状フェースギヤが固定的に設置され、前記環状スライダの内側にはリングギヤが設置され、前記スライドチャンバの底壁の中には第一空きチャンバが設置され、前記第一空きチャンバと前記スライドチャンバとの間にはスプラインスリーブが回転できるように設置され、前記スプラインスリーブの中には上下に伸びているスプライン軸がスライドできるように設置され、前記スプライン軸の頂端には前記リングギヤと噛み合っているギヤが固定的に設置され、前記環状スライダの底面と前記スプラインスリーブの頂面との間には第一バネが連結され、前記スプライン軸の底端には第一円盤が固定的に設置され、前記第一円盤の中には下方へ開口した第一凹溝が設置され、前記第一凹溝の中には内ラチェットギヤが固定的に設置され、前記第一空きチャンバの底壁の中には第二空きチャンバが設置され、前記第二空きチャンバと前記第一空きチャンバとの間には第一スライド溝が連通するように設置され、前記第一スライド溝の中には上下に伸びているスライドロッドがスライドできるように設置され、前記スライドロッドの頂端には第二円盤が固定的に設置され、前記第二円盤の頂壁には回転軸が回転できるように設置され、前記回転軸には前記内ラチェットギヤと噛み合っているラチェット歯止めが固定的に設置され、前記ラチェット歯止めと前記第二円盤の頂面との間には第二バネが連結され、前記スライドロッドの底端には第三円盤が固定的に設置され、前記第三円盤の底面と前記第二空きチャンバの底壁との間には第三バネが連結され、前記第二空きチャンバの底壁の中には液圧チャンバが設置され、前記液圧チャンバと前記第二空きチャンバとの間には第二スライド溝が連通するように設置され、前記第二スライド溝の外側にはシールリングが固定的に設置され、前記第二スライド溝の中には第一頂ロッドがスライドできるように設置され、前記液圧チャンバの中には前記第一頂ロッドと固定的に連結された磁石ブロックがスライドできるように設置され、前記磁石ブロックの底面と前記液圧チャンバの底壁との間には第四バネが連結され、
前記リングギヤが回転して前記ギヤを連動させて回転させ、前記ギヤが回転して前記第一円盤を連動させて回転させ、同時に前記磁石ブロックが前記ラチェット歯止めを連動させて前記内ラチェットギヤと噛み合わせることを特徴とする多機能ケーブル巻き取り器。
【請求項２】
前記スライドチャンバの底壁の中には上方へ開口した第三スライド溝が左右対称的に設置され、前記第三スライド溝の中には第二頂ロッドがスライドできるように設置され、前記第三スライド溝と前記液圧チャンバとの間には液圧パイプが連通するように設置され、前記第一円盤の外面にはケーブル巻き取り溝が固定的に設置され、前記第一空きチャンバの後側端壁には後方へ開口したケーブル入り溝が設置され、前記第一円盤の後側端壁の中には下方へ開口したケーブル固定溝が設置され、前記ケーブル固定溝の前側には第二凹溝が連通するように設置され、前記第二凹溝の中には前記ケーブル固定溝の中に伸びている引っ掛かり板が設置され、前記引っ掛かり板と前記第二凹溝の上下端壁との間には第五バネが連結され、
これにより、前記引っ掛かり板が前記ケーブル固定溝の中のケーブルを固定し、前記ケーブル巻き取り溝が回転してケーブルを巻き取ることを特徴とする請求項１に記載の多機能ケーブル巻き取り器。
【請求項３】
前記ケース主体の底面には環状磁石が固定的に設置され、前記環状磁石の底端は磁石ベースに吸着することができ、前記磁石ベースと前記磁石ブロックとが互いに反発しあい、前記磁石ベースの底端には両面テープが固定的に設置され、
これにより、前記環状磁石と前記磁石ベースとが吸着しあって前記ケース主体を固定し、同時に前記磁石ベースが前記磁石ブロックを連動させて上方へスライドさせることを特徴とする請求項１に記載の多機能ケーブル巻き取り器。
【発明の詳細な説明】
【技術分野】
【０００１】
本発明はパソコン周辺グッズ分野を取り上げて、具体的には多機能ケーブル巻き取り器である。
【背景技術】
【０００２】
家又はオフィス等の場所には、たくさんの異なるケーブルが机の上や地面にあり、しかもケーブルの長さが同じではなく、整理しないとゴチャゴチャになり、美観に影響すると同時にケーブルを変えることに不便であり、一般的なケーブル巻き取り器は、両手でケーブルをそれに巻き取る必要があり、しかも一般的なケーブル巻き取り器を固定できなく、ケーブル巻き取り器がほかのところに移動しやすく、地面と摩擦し、埃が溜まりやすく、また、一般的なケーブル巻き取り器を机の上に置く時、機能が単一であり、かなりスペースを取り、そのため、上記問題を解決するために多機能ケーブル巻き取り器を設計する必要がある。
【先行技術文献】
【特許文献】
【０００３】
【特許文献１】中国特許出願公開第１０９０８８４６３号明細書
【発明の概要】
【発明が解決しようとする課題】
【０００４】
本発明が解決する技術問題は多機能ケーブル巻き取り器を提供し、それは上記の従来技術における問題を解決できる。
【課題を解決するための手段】
【０００５】
本発明は以下の技術プランを通じて実現される：本発明の多機能ケーブル巻き取り器は、ケース主体を含み、前記ケース主体の中には上方へ開口したスライドチャンバが設置され、前記スライドチャンバの中には環状スライダがスライドできるように設置され、前記環状スライダの外端面には固定ブロックが左右対称的に固定的に設置され、前記固定ブロックの外側端面にはハンドルが固定的に設置され、前記固定ブロックの底面にはロック歯が固定的に設置され、前記ケース主体の頂面には前記ロック歯と噛み合っている環状フェースギヤが固定的に設置され、前記環状スライダの内側にはリングギヤが設置され、前記スライドチャンバの底壁の中には第一空きチャンバが設置され、前記第一空きチャンバと前記スライドチャンバとの間にはスプラインスリーブが回転できるように設置され、前記スプラインスリーブの中には上下に伸びているスプライン軸がスライドできるように設置され、前記スプライン軸の頂端には前記リングギヤと噛み合っているギヤが固定的に設置され、前記環状スライダの底面と前記スプラインスリーブの頂面との間には第一バネが連結され、前記スプライン軸の底端には第一円盤が固定的に設置され、前記第一円盤の中には下方へ開口した第一凹溝が設置され、前記第一凹溝の中には内ラチェットギヤが固定的に設置され、前記第一空きチャンバの底壁の中には第二空きチャンバが設置され、前記第二空きチャンバと前記第一空きチャンバとの間には第一スライド溝が連通するように設置され、前記第一スライド溝の中には上下に伸びているスライドロッドがスライドできるように設置され、前記スライドロッドの頂端には第二円盤が固定的に設置され、前記第二円盤の頂壁には回転軸が回転できるように設置され、前記回転軸には前記内ラチェットギヤと噛み合っているラチェット歯止めが固定的に設置され、前記ラチェット歯止めと前記第二円盤の頂面との間には第二バネが連結され、前記スライドロッドの底端には第三円盤が固定的に設置され、前記第三円盤の底面と前記第二空きチャンバの底壁との間には第三バネが連結され、前記第二空きチャンバの底壁の中には液圧チャンバが設置され、前記液圧チャンバと前記第二空きチャンバとの間には第二スライド溝が連通するように設置され、前記第二スライド溝の外側にはシールリングが固定的に設置され、前記第二スライド溝の中には第一頂ロッドがスライドできるように設置され、前記液圧チャンバの中には前記第一頂ロッドと固定的に連結された磁石ブロックがスライドできるように設置され、前記磁石ブロックの底面と前記液圧チャンバの底壁との間には第四バネが連結され、
前記リングギヤが回転して前記ギヤを連動させて回転させ、前記ギヤが回転して前記第一円盤を連動させて回転させ、同時に前記磁石ブロックが前記ラチェット歯止めを連動させて前記内ラチェットギヤと噛み合わせる。
【０００６】
好ましくは、前記スライドチャンバの底壁の中には上方へ開口した第三スライド溝が左右対称的に設置され、前記第三スライド溝の中には第二頂ロッドがスライドできるように設置され、前記第三スライド溝と前記液圧チャンバとの間には液圧パイプが連通するように設置され、前記第一円盤の外面にはケーブル巻き取り溝が固定的に設置され、前記第一空きチャンバの後側端壁には後方へ開口したケーブル入り溝が設置され、前記第一円盤の後側端壁の中には下方へ開口したケーブル固定溝が設置され、前記ケーブル固定溝の前側には第二凹溝が連通するように設置され、前記第二凹溝の中には前記ケーブル固定溝の中に伸びている引っ掛かり板が設置され、前記引っ掛かり板と前記第二凹溝の上下端壁との間には第五バネが連結され、
これにより、前記引っ掛かり板が前記ケーブル固定溝の中のケーブルを固定し、前記ケーブル巻き取り溝が回転してケーブルを巻き取る。
【０００７】
好ましくは、前記ケース主体の底面には環状磁石が固定的に設置され、前記環状磁石の底端は磁石ベースに吸着することができ、前記磁石ベースと前記磁石ブロックとが互いに反発しあい、前記磁石ベースの底端には両面テープが固定的に設置され、
これにより、前記環状磁石と前記磁石ベースとが吸着しあって前記ケース主体を固定し、同時に前記磁石ベースが前記磁石ブロックを連動させて上方へスライドさせる。
【発明の効果】
【０００８】
以上により、本発明の有益効果は：本発明の多機能ケーブル巻き取り器は操作が簡単明瞭で、反応が速く、時間と精力を節約し、同時に、本発明の装置は機能が豊かであり、固定で頼もしく、実用性が高い。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の多機能ケーブル巻き取り器の全体構成模式図
【図２】図２は図１のＡ―Ａの構成模式図
【図３】図３は図２のＢの拡大構成模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。    
【００１２】
図１〜３に示すように、本発明の多機能ケーブル巻き取り器は、ケース主体１４を含み、前記ケース主体１４の中には上方へ開口したスライドチャンバ１８が設置され、前記スライドチャンバ１８の中には環状スライダ１５がスライドできるように設置され、前記環状スライダ１５の外端面には固定ブロック１１が左右対称的に固定的に設置され、前記固定ブロック１１の外側端面にはハンドル１０が固定的に設置され、前記固定ブロック１１の底面にはロック歯１２が固定的に設置され、前記ケース主体１４の頂面には前記ロック歯１２と噛み合っている環状フェースギヤ１３が固定的に設置され、前記環状スライダ１５の内側にはリングギヤ１６が設置され、前記スライドチャンバ１８の底壁の中には第一空きチャンバ３２が設置され、前記第一空きチャンバ３２と前記スライドチャンバ１８との間にはスプラインスリーブ２０が回転できるように設置され、前記スプラインスリーブ２０の中には上下に伸びているスプライン軸１９がスライドできるように設置され、前記スプライン軸１９の頂端には前記リングギヤ１６と噛み合っているギヤ１７が固定的に設置され、前記環状スライダ１５の底面と前記スプラインスリーブ２０の頂面との間には第一バネ３７が連結され、前記スプライン軸１９の底端には第一円盤４２が固定的に設置され、前記第一円盤４２の中には下方へ開口した第一凹溝４４が設置され、前記第一凹溝４４の中には内ラチェットギヤ４５が固定的に設置され、前記第一空きチャンバ３２の底壁の中には第二空きチャンバ３１が設置され、前記第二空きチャンバ３１と前記第一空きチャンバ３２との間には第一スライド溝４９が連通するように設置され、前記第一スライド溝４９の中には上下に伸びているスライドロッド５０がスライドできるように設置され、前記スライドロッド５０の頂端には第二円盤４８が固定的に設置され、前記第二円盤４８の頂壁には回転軸４７が回転できるように設置され、前記回転軸４７には前記内ラチェットギヤ４５と噛み合っているラチェット歯止め４６が固定的に設置され、前記ラチェット歯止め４６と前記第二円盤４８の頂面との間には第二バネ５３が連結され、前記スライドロッド５０の底端には第三円盤５１が固定的に設置され、前記第三円盤５１の底面と前記第二空きチャンバ３１の底壁との間には第三バネ５２が連結され、前記第二空きチャンバ３１の底壁の中には液圧チャンバ２６が設置され、前記液圧チャンバ２６と前記第二空きチャンバ３１との間には第二スライド溝２２が連通するように設置され、前記第二スライド溝２２の外側にはシールリング２１が固定的に設置され、前記第二スライド溝２２の中には第一頂ロッド２９がスライドできるように設置され、前記液圧チャンバ２６の中には前記第一頂ロッド２９と固定的に連結された磁石ブロック２８がスライドできるように設置され、前記磁石ブロック２８の底面と前記液圧チャンバ２６の底壁との間には第四バネ２７が連結され、
前記リングギヤ１６が回転して前記ギヤ１７を連動させて回転させ、前記ギヤ１７が回転して前記第一円盤４２を連動させて回転させ、同時に前記磁石ブロック２８が前記ラチェット歯止め４６を連動させて前記内ラチェットギヤ４５と噛み合わせる。
【００１３】
有益的には、前記スライドチャンバ１８の底壁の中には上方へ開口した第三スライド溝３５が左右対称的に設置され、前記第三スライド溝３５の中には第二頂ロッド３６がスライドできるように設置され、前記第三スライド溝３５と前記液圧チャンバ２６との間には液圧パイプ３０が連通するように設置され、前記第一円盤４２の外面にはケーブル巻き取り溝４３が固定的に設置され、前記第一空きチャンバ３２の後側端壁には後方へ開口したケーブル入り溝３３が設置され、前記第一円盤４２の後側端壁の中には下方へ開口したケーブル固定溝４１が設置され、前記ケーブル固定溝４１の前側には第二凹溝３８が連通するように設置され、前記第二凹溝３８の中には前記ケーブル固定溝４１の中に伸びている引っ掛かり板４０が設置され、前記引っ掛かり板４０と前記第二凹溝３８の上下端壁との間には第五バネ３９が連結され、
これにより、前記引っ掛かり板４０が前記ケーブル固定溝４１の中のケーブルを固定し、前記ケーブル巻き取り溝４３が回転してケーブルを巻き取る。
【００１４】
有益的には、前記ケース主体１４の底面には環状磁石２３が固定的に設置され、前記環状磁石２３の底端は磁石ベース２４に吸着することができ、前記磁石ベース２４と前記磁石ブロック２８とが互いに反発しあい、前記磁石ベース２４の底端には両面テープ２５が固定的に設置され、
これにより、前記環状磁石２３と前記磁石ベース２４とが吸着しあって前記ケース主体１４を固定し、同時に前記磁石ベース２４が前記磁石ブロック２８を連動させて上方へスライドさせる。
【００１５】
以下、出願人は付図及び上記の本出願の多機能ケーブル巻き取り器の具体的な構成を参照してその使用方法を詳しく紹介する：
【００１６】
環状磁石２３がまだ磁石ベース２４に吸着していない時、環状フェースギヤ１３とロック歯１２とが噛み合っており、固定ブロック１１が回転できなく、ケーブル巻き取り器を固定する前に、本装置がケーブルを巻き取らないことを確保する。
【００１７】
環状磁石２３が磁石ベース２４に吸着している時、環状磁石２３が磁石ブロック２８に反発し、磁石ブロック２８が上方へスライドし、磁石ブロック２８が第一頂ロッド２９を連動させて第三円盤５１を押させ、スライドロッド５０が上方へスライドすることによりラチェット歯止め４６が内ラチェットギヤ４５と噛み合い、この時、ケーブルを巻き取る時に正常にケーブル巻き取り溝４３の中に巻き取ることができる。
【００１８】
同時に磁石ブロック２８が液圧パイプ３０により第二頂ロッド３６を連動させて上方へスライドさせ、第二頂ロッド３６が環状スライダ１５を押し、環状スライダ１５が上方へスライドすることによりロック歯１２が環状フェースギヤ１３との噛み合いから離脱し、この時、環状スライダ１５が回転でき、同時にギヤ１７とリングギヤ１６の頂面とが高度の差を形成し、上方へ開口したコップを置く口を形成し、コップを安定して置くことができる。
【００１９】
ケーブルをケーブル入り溝３３の中に入らせ、ケーブルをケーブル固定溝４１と位置合わせし、下から上へケーブル固定溝４１の中に固定し、そしてハンドル１０を回転させ、ハンドル１０がギヤ１７を連動させて回転させ、ギヤ１７が第一円盤４２を連動させて回転させ、第一円盤４２がケーブル巻き取り溝４３を連動させてケーブルを巻き取らせ、巻き取る時に手で固定する必要がなく、操作が簡単である。
【００２０】
ケーブルを緩める時、ギヤ１７を押し、ギヤ１７がスプライン軸１９を連動させて下方へスライドさせ、スプライン軸１９が第一円盤４２を連動させて下方へスライドさせ、第一円盤４２が下方へスライドすることにより内ラチェットギヤ４５がラチェット歯止め４６との噛み合いから離脱し、この時、第一円盤４２が逆方向へ回転でき、即ちケーブルを引いてケーブル巻き取り溝４３を逆方向へ回転させてケーブルを緩め、本装置はケーブルを緩める時に操作が簡単で便利である。
【００２１】
以上により、本発明の多機能ケーブル巻き取り器は操作が簡単明瞭で、反応が速く、時間と精力を節約し、同時に、本発明の装置は機能が豊かであり、固定で頼もしく、実用性が高い。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。
【図１】
2020183323.tif 000003
【図２】
2020183323.tif 000004
【図３】
2020183323.tif 000005